(57)【要約】【要約書】【課題】  傾けても蓋がなくても油絵の具が垂れないパレット、市販イーゼルにパレットを水平に固定できるイーゼル取付け金具、筆の汚れ拭き用市販ペーパータオルやゴミ収納用レジ袋をいっしょに吊設できるペーパーフォルダー、筆置きと油壷置きをパレットに装着できる油彩セットを提供する。【解決手段】  パレット（１）にパレット凹部（２）を設けることで、蓋なしで傾けても油絵の具（６）が垂れないので持ち運びが容易。使い捨て紙パレット（３）やペーパーフォルダー（４１）に取付けた市販ペーパータオル（４２）やレジ袋（４３）を使用するので後かたづけが簡単で環境に優しい。イーゼル前脚（１５）の断面が丸や四角でもパレット（１）を水平に固定できるイーゼル取付け金具（１６）。筆置き（３０）と油壷置き（３４）をパレット（１）に挟んで装着することを特徴とする。【選択図】  図１
2005059406.tif 000002
【特許請求の範囲】
【請求項１】
パレット（１）に凹部を設けることで油絵の具（６）が垂れない、使い捨て紙パレット（３）を市販クリップ（５）で挟んで使用する、収納ケース（８）に入れる油絵の具が垂れないパレット。
【請求項２】
イーゼル前脚（１５）の断面が丸や四角でも装着できる、イーゼル取付け金具（１６）で固定する油絵の具が垂れないパレット。
【請求項３】
筆置き（３０）と油壷置き（３４）をパレット（１）の両端に挟んで装着する、油絵の具が垂れないパレット。
【発明の詳細な説明】
【技術分野】
【０００１】
本発明は、油絵の具が垂れないパレットと、パレットをイーゼルに固定できるイーゼル取付け金具、パレットに装着する筆置きと油壷置きのセットに関するものである。
【背景技術】
【０００２】
野外で油絵を描く時、従来の油絵用パレットでは、油絵の具をチューブからパレットに出し、描き終えると使い残した油絵の具をパレットナイフ等で取除くなど後始末が面倒。重い油彩セットを持ち歩かなければならなかった。
【特許文献１】特開２００２−０３４６９３
【発明の開示】
【発明が解決しようとする課題】
【０００３】
野外制作の場合、従来の油彩セットはかなり重く、現場で油絵を描く時パレットに油絵の具を出すのに手間がかかり、直ぐ制作に取り掛かれず油絵を描くチャンスを逃していた。
【０００４】
パレットに油壷を取付け、筆を持った手でパレットを支えながら描くので疲れる。パレットや筆洗や筆など置き場所が無いので困ることが多い。
【０００５】
制作が済むとパレットの油絵の具の後始末が大変で、大量に残った油絵の具を処分するので環境にも悪く、気軽に野外でのスケッチが出来なかった。本発明はこれらの欠点を解決するためになされたものである。
【課題を解決するための手段】
【０００６】
上記の問題を解決するために、本発明は図２、図３に示すようにパレット（１）上面にパレット凹部（２）を設け、使用する色数だけ油絵の具（６）を入れる。
【０００７】
図4が示すように、油絵の具が垂れないパレット（１）を、油絵の具（６）の保護保存のための収納ケース（８）に入れるので、持ち運びが容易にできる。
【０００８】
図2が示すように、油絵の制作が終われば、パレット（１）の上面に貼った、汚れた使い捨て紙パレット（３）を処分するだけで後始末が簡単である。
【０００９】
野外制作の場合、図1に示すように、イーゼル（１４）のキャンバス受け（２７）にキャンバス（２６）を取付け、キャンバス押え（２８）で固定して、図５、図６が示すように、イーゼルの前脚（１５）にイーゼル取付け金具（１６）を装着し、収納ケース（８）から出したパレット（１）を軸部（１８）に乗せ、蝶ナット（２２）を締めてパレット（１）を固定する。
【００１０】
図１０に示すように、パレット（１）の左端に筆置き（３０）をボルト（４０）と蝶ナット（２２）で締めて装着し、パレット（１）右端に油壷置き（３４）を筆置き（３０）と同じように取付ける。
【００１１】
本発明は、図１に示すように、以上の構成からなる油絵の具が垂れないパレットのセットである。
【発明の効果】
【００１２】
図3が示すように、油絵の具が垂れないパレットに油絵の具を入れ、試作品で使用テストした結果、固体表面に粘着する粘性の性質のため、油絵の具が傾けても垂れない。この性質を利用し、図4が示すように、パレットを専用の収納ケースに入れリュックやカバンなどで気軽に持ち運べる。
【００１３】
従来の野外制作では、重い木製の油絵の具箱に数多くの小さなチューブの油絵の具や他の道具を入れるので、重くて容易に持ち運べない。油絵の具が垂れないパレットの場合、必要な色数だけパレット凹部に油絵の具を入れ油が多い場合はティッシュペーパー等で油を取除くなど事前に準備でき、野外現場や油絵教室に着いてパレットを取り出せば、直ぐに油絵が描ける。
【００１４】
図１が示すように、イーゼル取付け金具でパレットとイーゼル前脚が一体化でき、筆置きと油壷置きはパレットに直接設置するので、パレットや筆は手で持たずに済み油絵の制作に専念できる。
【００１５】
図２が示すように、油絵の具が垂れないパレットに、市販の使い捨て紙パレットをパレットの上面に貼り、市販クリップで挟んで固定する。絵を描き終わる度汚れた使い捨て紙パレットを処分するだけで後始末が簡単、パレットに残った油絵の具は次回に使用できるので経済的である。
【００１６】
このパレットを使うことで、水彩絵の具セットのように、いつでも気軽に携帯し易く油絵を描くことが出来るので、特に野外でのスケッチに大変便利である。
【発明を実施するための最良の形態】
【００１７】
本発明に係る、油絵の具が垂れないパレットの実施形態について説明する。
【実施例１】
【００１８】
図1が示すように、イーゼルの前脚（１５）の左右にイーゼル取付け金具（１６）を自分の描きやすい高さに装着し、パレット（１）を軸部（１８）先の軸部フック（１９）に引っかけて上に乗せ、軸部ネジ（２０）を蝶ナット（２２）で締める。パレット（１）の両端に筆置き（３０）と油壷置き（３４）を挟んで装着する。これが本発明の基本形態である。
【実施例２】
【００１９】
図２が示すパレット凹部（２）の大きさは、油絵具（６）が垂れないよう粘性を保持する為、幅、長さ、深さのサイズの制限があるのと、個々の油絵の具（６）が交じり合わない様に間を空ける必要があるので、パレット凹部（２）の数は、パレット（１）の大きさによって増減できる。初心者用には色数が少ない小型のパレットなど、状況に応じて色々な意匠が考えられる。
【００２０】
図2が示すパレット（１）とパレット凹部（２）は、油絵の具（６）の色が見やすく、目が疲れない薄い色のベージュか白色の軽いプラスチック製などの一体成型が望ましい。
【実施例３】
【００２１】
図２に示すように、市販の使い捨て紙パレット（３）の取付け方は、台紙から紙パレットの束だけをはがし、パレット（１）真ん中の上面サイズに合うように裁断し、使い捨て紙パレット（３）の一番下の奥に両面テープ（４）を貼り、パレット（１）の上面に貼り付け、市販クリップ（５）で挟んで固定する。こうすることで使い捨て紙パレット（３）がずれなくなり、絵が描き終わる度に汚れた使い捨て紙パレット（３）を１枚ずつ処分することで連続使用でき、後始末が簡単である。
【実施例４】
【００２２】
図４が示すように、パレット（１）を収納ケース（８）に入れてパレット（１）が動かないように固定するには、ケース蓋（９）の両端にゴム状の弾性体素材のパレット押え部材（１１）を取付け、ケース蓋（９）を閉じながらパレット（１）を固定し、掛止具（１２）を止具（１３）に掛ける。油絵の具（６）が保護保存され垂れないので、パレット（１）を入れた収納ケース（８）をリュックやカバンなどに入れて持ち運べる。持手（１０）付きにもでき、パレット（１）を入れた収納ケース（８）のまま直接持てるので、状況に応じた使い方が選べて便利である。
【００２３】
パレット（１）を入れる収納ケース（８）の素材は、中の色が確認できる白色で半透明の軽いプラスチック製などが望ましい。
【００２４】
油絵の具（６）の保存は、パレット（１）を収納ケース（８）に入れたまま密封式ケースなどに入れて冷蔵庫で保存する。日にちがたって油絵の具（６）を補充する時は、油絵の具（６）の表面の固まった幕と汚れをパレットナイフやピンセット等で除去し、油絵の具（６）を補充する。
【００２５】
収納ケース（８）に関する別の例として、真空式密封ケースにすれば油絵の具（６）が乾きにくいので、直接冷蔵庫に入れて長期に保護保存できる。収納ケース（８）は、横からパレット（１）をスライドしながら蓋をするなど色々な意匠が考えられる。
【実施例５】
【００２６】
図5、図6に示すように、イーゼル取付け金具（１６）をイーゼル前脚（１５）に挟んで装着し、軸部（１８）の上にパレット（１）を乗せ蝶ナット（２２）で絞めて固定する。図７に示すように、イーゼル取付け金具（１６）に軸部（１８）が平行に保つために軸部穴（２１）を斜めに設けてあるので、パレット（１）が水平に固定できる。
【００２７】
図５、図６、図７に示すように、イーゼル取付け金具（１６）の外側にバネ穴（２５）を浅くあけ、バネ（２４）を取付ける。バネ（２４）の力でパレット（１）上の端から押さえるので、ずれを防いで固定できる。
【００２８】
図7が示すように、イーゼル取付け金具（１６）の内面に、イーゼル前脚（１５）の傷防止と滑り止めの為に滑り止め部材(１７)を設けた。イーゼル取付け金具（１６）の外側に設けたバネ（２４）と滑り止め部材（１７）で、イーゼル前脚（１５）を挟んで軸部ネジ（２０）を蝶ナット（２２）で締めるので、市販イーゼル前脚の断面が丸や四角でも安全確実に固定できる。
【００２９】
図5、図6に示すように、イーゼル取付け金具（１６）には蝶番（２３）を設けてあるので、市販イーゼルの形状や太さに応じて対応でき、幅にゆとりがあるので左右にも縦にもずらすことができ、パレット（１）の位置を自分の描きやすい高さで自由に調節できる。
【００３０】
この為図5、図6、図7の素材は強度が必要になるので、それぞれ部材に合った素材が望ましい。例として、イーゼル取付け金具(16)はアルミか強化プラスチック、軸部はステンレスが望ましい。
【実施例６】
【００３１】
図１０に示すように、パレット（１）の両端に筆置き（３０）と油壷置き（３４）を、傾きを防ぐ押え板安定部材（３９）が付いている押え板（３８）でそれぞれ挟んで、ボルト（４０）を下から蝶ナット（２２）で締めて装着する。
【００３２】
図8に示す筆置き（３０）は、つる巻バネ（３１）をつる巻バネ留金（３２）に差し入れて、筆（２９）をつる巻バネ（３１）に挟んで使用する。
【００３３】
図９や図１０に示す市販筆洗い器（３５）は、市販筆洗い器（３５）の口の大きさに合わせた筆洗い器穴（３６）を油壷置き（３４）に開けて、キャップを取って下から差し通し使用する。筆洗い器滑り止部材（３７）を穴の周りに張り付けることで、滑り落ちないで使用できる。
【００３４】
筆置き（３０）や油壷置き（３４）と押え板（３８）の素材は、パレット（１）と同じプラスチック製など、押え板安定部材（３９）や筆洗い器滑り止め部材（３７）は、ゴム状の弾性体が望ましい。
【実施例７】
【００３５】
本発明は、これらのセットを野外制作で使用することで、従来の油彩セットでは大変であった持ち歩くことが容易になり、油絵の具（６）を油絵の具チューブ（７）からパレット（１）に出す手間が省け、パレット（１）を直接イーゼル前脚（１５）に固定するので、パレット（１）を手で持たずに油絵を描くことができる。
【００３６】
油絵を描く時、筆置き（３０）がパレット（１）に装着するので、使用中の筆（２９）はつる巻バネ（３１）に挟むことで、筆（２９）の置き場所が確保される。油壷（３３）も油壷置き（３４）に挟んで装着でき、油絵制作に集中できる。
【００３７】
使い捨て紙パレット（３）を使用すれば後始末が楽になり、凹部に残った油絵の具はそのまま次回に使用できるので、処分する油絵の具の量が少なくなり環境にも優しく経済的である。
【００３８】
本発明の、油絵の具が垂れないパレットのセットを使用すれば、水彩絵の具セットのように携帯し易く、特に趣味で油絵を描きたくても準備と持ち運びが大変とあきらめていた人が、気軽に野外で油絵スケッチを描くことができる。また油絵教室や自室でも使用できる。
【図面の簡単な説明】
【００３９】
【図１】この発明に係る油絵の具が垂れないパレットに、筆置きおよび油壷置きを取付け、そのパレットをイーゼル取付け金具でイーゼルに固定した状態の斜視図である。
【図２】この発明に係る油絵の具の垂れないパレットに、使い捨て紙パレットを取付ける斜視図である。
【図３】この発明に係る油絵の具の垂れないパレットの断面図である。
【図４】この発明に係る油絵の具の垂れないパレットを収納ケースに入れた状態の斜視図である。
【図５】この発明に係る油絵の具の垂れないパレットをイーゼルに固定する、イーゼル取付け金具の前斜視図である。
【図６】この発明に係る油絵の具の垂れないパレットをイーゼルに固定する、イーゼル取付け金具の後斜視図である。
【図７】この発明に係る油絵の具の垂れないパレットをイーゼルに固定する、イーゼル取付け金具の側面図である。
【図８】この発明に係る油絵の具の垂れないパレットに取付ける、筆置きの斜視図である。
【図９】この発明に係る油絵の具の垂れないパレットに取付ける、油壷置きの斜視図である。
【図１０】この発明に係る油絵の具の垂れないパレットに取付ける、筆置きと油壷置きの断面図である。
【符号の説明】
【００４０】
（１）パレット
（２）パレット凹部
（３）使い捨て紙パレット
（４）両面テープ
（５）市販クリップ
（６）油絵の具
（７）油絵の具チューブ
（８）収納ケース
（９）ケース蓋
（１０）持手
（１１）パレット押え部材
（１２）掛止具
（１３）止具 
（１４）イーゼル
（１５）イーゼル前脚
（１６）イーゼル取付け金具
（１７）滑り止部材
（１８）軸部
（１９）軸部フック
（２０）軸部ネジ 
（２１）軸部穴
（２２）蝶ナット
（２３）蝶番
（２４）バネ
（２５）バネ穴
（２６）キャンバス
（２７）キャンバス受け
（２８）キャンバス押え
（２９）筆
（３０）筆置き
（３１）つる巻バネ
（３２）つる巻バネ留金
（３３）油壷
（３４）油壷置き
（３５）市販筆洗い器
（３６）筆洗い器の穴
（３７）筆洗い器滑り止部材
（３８）押え板
（３９）押え板安定部材
（４０）ボルト
【図１】
2005059406.tif 000003
【図２】
2005059406.tif 000004
【図３】
2005059406.tif 000005
【図４】
2005059406.tif 000006
【図５】
2005059406.tif 000007
【図６】
2005059406.tif 000008
【図７】
2005059406.tif 000009
【図８】
2005059406.tif 000010
【図９】
2005059406.tif 000011
【図１０】
2005059406.tif 000012
【手続補正書】
【提出日】平成15年9月22日(2003.9.22)
【手続補正１】
【補正対象書類名】特許請求の範囲
【補正対象項目名】全文
【補正方法】変更
【補正の内容】
【特許請求の範囲】
【請求項１】
パレット（１）に凹部を設けることで蓋なしでも油絵の具（６）が垂れない、使い捨て紙パレット（３）を市販クリップ（５）で挟んで使用する、収納ケース（８）に入れる油絵の具が垂れないパレット。
【請求項２】
イーゼル前脚（１５）の断面が丸や四角でも装着できる、イーゼル取付け金具（１６）で水平に固定する油絵の具が垂れないパレット。
【請求項３】
筆置き（３０）と油壷置き（３４）をパレット（１）の両端に挟んで装着する、油絵の具が垂れないパレット。
【請求項４】
イーゼル取付け金具（１６）の軸部（１８）に市販ペーパータオル（４２）やレジ袋
（４３）を取付けたペーパーフォルダー（４１）を吊設する、油絵の具が垂れないパレット。
【手続補正２】
【補正対象書類名】明細書
【補正対象項目名】全文
【補正方法】変更
【補正の内容】
【発明の詳細な説明】
【技術分野】
【０００１】
本発明は、油絵の具が垂れないパレットと、パレットを市販イーゼルに水平に固定できるイーゼル取付け金具、パレットに装着する筆置きと油壷置きのセットに関するものである。
【背景技術】
【０００２】
野外で油絵を描く時、従来の油絵用パレットでは、油絵の具をチューブからパレットに出し、描き終えると使い残した油絵の具をパレットナイフ等で取除くなど後始末が面倒。重い油彩セットを持ち歩かなければならなかった。
【特許文献１】特開２００２−０３４６９３
【発明の開示】
【発明が解決しようとする課題】
【０００３】
野外制作の場合、従来の油彩セットはかなり重く、現場で油絵を描く時パレットに油絵の具を出すのに手間がかかり、直ぐ制作に取り掛かれず油絵を描くチャンスを逃していた。
【０００４】
パレットに油壷を取付け、筆を持った手でパレットを支えながら描くので疲れる。パレットや筆洗や筆など置き場所が無いので困ることが多い。
【０００５】
制作が済むとパレットの油絵の具の後始末が大変で、大量に残った油絵の具を処分するので環境にも悪く、気軽に野外でのスケッチが出来なかった。本発明はこれらの欠点を解決するためになされたものである。
【課題を解決するための手段】
【０００６】
上記の問題を解決するために、本発明は図２、図３に示すようにパレット（１）上面にパレット凹部（２）を設け、使用する色数だけ油絵の具（６）を入れる。
【０００７】
図4が示すように、油絵の具が垂れないパレット（１）を、油絵の具（６）の保護保存のための収納ケース（８）に入れるので、持ち運びが容易にできる。
【０００８】
図2が示すように、油絵の制作が終われば、パレット（１）の上面に貼った、汚れた使い捨て紙パレット（３）をレジ袋（４３）に処分するだけで後始末が簡単である。
【０００９】
野外制作の場合、図1に示すように、イーゼル（１４）のキャンバス受け（２７）にキャンバス（２６）を取付け、キャンバス押え（２８）で固定して、図５、図６が示すように、イーゼルの前脚（１５）にイーゼル取付け金具（１６）を装着し、図１１が示す軸部（１８）に市販ペーパータオル（４２）やレジ袋（４３）を取付けたペーパーフォルダー
（４１）を吊設して、収納ケース（８）から出したパレット（１）を軸部（１８）に乗せ、蝶ナット（２２）を締めてパレット（１）を水平に固定する。
【００１０】
図１０に示すように、パレット（１）の左端に筆置き（３０）をボルト（４０）と蝶ナット（２２）で締めて装着し、パレット（１）右端に油壷置き（３４）を筆置き（３０）と同じように取付ける。
【００１１】
本発明は、図１に示すように、以上の構成からなる油絵の具が垂れないパレットのセットである。
【発明の効果】
【００１２】
図3が示すように、油絵の具が垂れないパレットに油絵の具を入れ、試作品で使用テストした結果、固体表面に粘着する粘性の性質のため、蓋をしなくても油絵の具が傾けても垂れない。この性質を利用し、図4が示すように、パレットを専用の収納ケースに入れリュックやカバンなどで気軽に持ち運べる。
【００１３】
従来の野外制作では、重い木製の油絵の具箱に数多くの小さなチューブの油絵の具や他の道具を入れるので、重くて容易に持ち運べない。油絵の具が垂れないパレットの場合、必要な色数だけパレット凹部に油絵の具を入れ油が多い場合はティッシュペーパー等で油を取除くなど事前に準備でき、野外現場や油絵教室に着いてパレットを取り出せば、直ぐに油絵が描ける。
【００１４】
図１が示すように、イーゼル取付け金具でパレットとイーゼル前脚が一体化でき、筆置きと油壷置きはパレットに直接設置するので、パレットや筆は手で持たずに済み油絵の制作に専念できる。
【００１５】
図２が示すように、油絵の具が垂れないパレットに、市販の使い捨て紙パレットをパレットの上面に貼り、市販クリップで挟んで固定する。絵を描き終わる度汚れた使い捨て紙パレットをレジ袋に処分するだけで後始末が簡単、パレットに残った油絵の具は次回に使用できるので経済的で環境に優しい。
【００１６】
このパレットを使うことで、水彩絵の具セットのように、いつでも気軽に携帯し易く油絵を描くことが出来るので、特に野外でのスケッチに大変便利である。
【発明を実施するための最良の形態】
【００１７】
本発明に係る、油絵の具が垂れないパレットの実施形態について説明する。
【実施例１】
【００１８】
図1が示すように、イーゼル前脚（１５）の左右にイーゼル取付け金具（１６）を自分の描きやすい高さに装着し、市販ペーパータオル（４２）やレジ袋（４３）を取付けたペーパーフォルダー（４１）を吊設し、その上にパレット（１）を軸部（１８）先の軸部フック（１９）に引っかけて上に乗せ、軸部ネジ（２０）を蝶ナット（２２）で締める。使い捨て紙パレット（３）の下に市販ペーパータオル（４２）の端を重ね市販クリップ（５）で挟む。パレット（１）の両端に筆置き（３０）と油壷置き（３４）を挟んで装着する。これが本発明の基本形態である。
【実施例２】
【００１９】
図２が示すパレット凹部（２）の大きさは、油絵具（６）が垂れないよう粘性を保持する為、幅、長さ、深さのサイズの制限があるのと、個々の油絵の具（６）が交じり合わない様に間を空ける必要があるので、パレット凹部（２）の数は、パレット（１）の大きさによって増減できる。初心者用には色数が少ない小型のパレットなど、状況に応じて色々な意匠が考えられる。
【００２０】
図2が示すパレット（１）とパレット凹部（２）は、油絵の具（６）の色が見やすく、目が疲れない薄い色のベージュか白色の軽いプラスチック製などの一体成型が望ましい。
【実施例３】
【００２１】
図２に示すように、市販の使い捨て紙パレット（３）の取付け方は、台紙から紙パレットの束だけをはがし、パレット（１）真ん中の上面サイズに合うように裁断し、使い捨て紙パレット（３）の一番下の奥に両面テープ（４）を貼り、パレット（１）の上面に貼り付け、市販クリップ（５）で挟んで固定する。こうすることで使い捨て紙パレット（３）がずれなくなり、絵が描き終わる度に汚れた使い捨て紙パレット（３）を１枚ずつレジ袋（４３）に処分することで連続使用でき、後始末が簡単である。
【実施例４】
【００２２】
図４が示すように、パレット（１）を収納ケース（８）に入れてパレット（１）が動かないように固定するには、ケース蓋（９）の両端にゴム状の弾性体素材のパレット押え部材（１１）を取付け、ケース蓋（９）を閉じながらパレット（１）を固定し、掛止具（１２）を止具（１３）に掛ける。油絵の具（６）が保護保存され蓋なしでも垂れないので、パレット（１）を入れた収納ケース（８）をリュックやカバンなどに入れて持ち運べる。持手（１０）付きにもでき、パレット（１）を入れた収納ケース（８）のまま直接持てるので、状況に応じた使い方が選べて便利である。
【００２３】
パレット（１）を入れる収納ケース（８）の素材は、中の色が確認できる白色で半透明の軽いプラスチック製などが望ましい。
【００２４】
油絵の具（６）の保存は、パレット（１）を収納ケース（８）に入れたまま密封式ケースなどに入れて冷蔵庫で保存する。日にちが経ち油絵の具（６）を補充する時は、油絵の具（６）の表面の固まった幕と汚れをパレットナイフやピンセット等で除去し、油絵の具（６）を補充する。
【００２５】
収納ケース（８）に関する別の例として、真空式密封ケースにすれば油絵の具（６）が乾きにくいので、直接冷蔵庫に入れて長期に保護保存できる。収納ケース（８）は、横からパレット（１）をスライドしながら蓋をするなど色々な意匠が考えられる。
【実施例５】
【００２６】
図5、図6、図７に示すように、イーゼル取付け金具（１６）をイーゼル前脚（１５）に挟んで装着し、軸部（１８）に図１１が示すペーパーフォルダー（４１）に市販ペーパータオル（４２）やレジ袋（４３）を蝶ナット（２２）を外して吊設し、パレット（１）を軸部（１８）の上に乗せ蝶ナット（２２）で絞めて固定する。イーゼル取付け金具（１６）の軸部（１８）が平行に保つためにイーゼル取付け金具（１６）前部に縦３ヵ所軸部穴（２１）を設けてあるので、パレット（１）が水平に固定できる。
【００２７】
図５、図６、図７に示すように、イーゼル取付け金具（１６）の外側にバネ穴（２５）を浅くあけ、バネ（２４）を取付ける。バネ（２４）の力でパレット（１）上の端から押えるので、ずれを防いで固定できる。
【００２８】
図7が示すように、イーゼル取付け金具（１６）の内面に、イーゼル前脚（１５）の傷防止と滑り止めの為に滑り止め部材(１７)を設けた。イーゼル取付け金具（１６）の外側に設けたバネ（２４）と滑り止め部材（１７）で、イーゼル前脚（１５）を挟んで軸部ネジ（２０）を蝶ナット（２２）で締めるので、市販イーゼル前脚の断面が丸や四角でも安全確実に固定できる。
【００２９】
図5、図6、図７に示すように、イーゼル取付け金具（１６）には蝶番（２３）を設けてあるので、市販イーゼルの形状や太さに応じて対応でき、幅にゆとりがあるので左右にも縦にもずらすことができ、イーゼル取付け金具（１６）前部に縦３ヵ所軸部穴（２１）を設けるので、パレット（１）の位置を水平に保ち自分の描きやすい高さで自由に調節できる。
【００３０】
この為図5、図6、図7の素材は強度が必要になるので、それぞれ部材に合った素材が望ましい。例として、イーゼル取付け金具（１６）はアルミか強化プラスチック、軸部はステンレスが望ましい。
【実施例６】
【００３１】
図１０に示すように、パレット（１）の両端に筆置き（３０）と油壷置き（３４）を、傾きを防ぐ押え板安定部材（３９）が付いている押え板（３８）でそれぞれ挟んで、ボルト（４０）を下から蝶ナット（２２）で締めて装着する。
【００３２】
図8に示す筆置き（３０）は、つる巻バネ（３１）をつる巻バネ留金（３２）に差し入れて、筆（２９）をつる巻バネ（３１）に挟んで使用する。
【００３３】
図９や図１０に示す市販筆洗い器（３５）は、市販筆洗い器（３５）の口の大きさに合わせた筆洗い器穴（３６）を油壷置き（３４）に開けて、キャップを取って下から差し通し使用する。筆洗い器滑り止部材（３７）を穴の周りに張り付けることで、滑り落ちないで使用できる。
【００３４】
筆置き（３０）や油壷置き（３４）と押え板（３８）の素材は、パレット（１）と同じプラスチック製など、押え板安定部材（３９）や筆洗い器滑り止め部材（３７）は、ゴム状の弾性体が望ましい。
【実施例７】
【００３５】
本発明は、これらのセットを野外制作で使用することで、従来の油彩セットでは大変であった持ち歩くことが容易になり、油絵の具（６）を油絵の具チューブ（７）からパレット（１）に出す手間が省け、パレット（１）を直接イーゼル前脚（１５）に固定するので、パレット（１）を手で持たずに油絵を描くことができる。
【００３６】
油絵を描く時、筆置き（３０）がパレット（１）に装着するので、使用中の筆（２９）はつる巻バネ（３１）に挟むことで、筆（２９）の置き場所が確保される。油壷（３３）も油壷置き（３４）に挟んで装着でき、油絵制作に集中できる。
【００３７】
使い捨て紙パレット（３）を使用すれば後始末が楽になる。汚れた使い捨て紙パレット（３）はレジ袋（４３）に入れて持ち帰り、凹部に残った油絵の具はそのまま次回に使用できるので、処分する油絵の具の量が少なくなり経済的で環境に優しい。
【００３８】
本発明の、油絵の具が垂れないパレットのセットを使用すれば、水彩絵の具セットのように携帯し易く、特に趣味で油絵を描きたくても準備と持ち運びが大変とあきらめていた人が、気軽に野外で油絵スケッチを描くことができる。また油絵教室や自室でも使用できる。
【図面の簡単な説明】
【００３９】
【図１】この発明に係る油絵の具が垂れないパレットに、筆置きおよび油壷置きやペーパーフォルダーに市販ペーパータオルとレジ袋を取付け、イーゼルにパレットをイーゼル取付け金具で水平に固定した状態の斜視図である。
【図２】この発明に係る油絵の具の垂れないパレットに、使い捨て紙パレットを取付ける斜視図である。
【図３】この発明に係る油絵の具の垂れないパレットの断面図である。
【図４】この発明に係る油絵の具の垂れないパレットを収納ケースに入れた状態の斜視図である。
【図５】この発明に係る油絵の具の垂れないパレットをイーゼルに固定する、イーゼル取付け金具の前斜視図である。
【図６】この発明に係る油絵の具の垂れないパレットをイーゼルに固定する、イーゼル取付け金具の後斜視図である。
【図７】この発明に係る油絵の具の垂れないパレットをイーゼルに固定する、イーゼル取付け金具の側面図である。
【図８】この発明に係る油絵の具の垂れないパレットに取付ける、筆置きの斜視図である。
【図９】この発明に係る油絵の具の垂れないパレットに取付ける、油壷置きの斜視図である。
【図１０】この発明に係る油絵の具の垂れないパレットに取付ける、筆置きと油壷置きの断面図である。
【図１１】この発明に係るイーゼル取付け金具軸部に、市販ペーパータオルとレジ袋をセットしたペーパーフォルダーを吊設した斜視図である。
【符号の説明】
【００４０】
（１）パレット
（２）パレット凹部
（３）使い捨て紙パレット
（４）両面テープ
（５）市販クリップ
（６）油絵の具
（７）油絵の具チューブ
（８）収納ケース
（９）ケース蓋
（１０）持手
（１１）パレット押え部材
（１２）掛止具
（１３）止具 
（１４）イーゼル
（１５）イーゼル前脚
（１６）イーゼル取付け金具
（１７）滑り止部材
（１８）軸部
（１９）軸部フック
（２０）軸部ネジ 
（２１）軸部穴
（２２）蝶ナット
（２３）蝶番
（２４）バネ
（２５）バネ穴
（２６）キャンバス
（２７）キャンバス受け
（２８）キャンバス押え
（２９）筆
（３０）筆置き
（３１）つる巻バネ
（３２）つる巻バネ留金
（３３）油壷
（３４）油壷置き
（３５）市販筆洗い器
（３６）筆洗い器の穴
（３７）筆洗い器滑り止部材
（３８）押え板
（３９）押え板安定部材
（４０）ボルト
（４１）ペーパーフォルダー
（４２）市販ペーパータオル
（４３）レジ袋
【手続補正３】
【補正対象書類名】図面
【補正対象項目名】図１
【補正方法】変更
【補正の内容】
【図１】
2005059406.tif 000013
【手続補正４】
【補正対象書類名】図面
【補正対象項目名】図５
【補正方法】変更
【補正の内容】
【図５】
2005059406.tif 000014
【手続補正５】
【補正対象書類名】図面
【補正対象項目名】図６
【補正方法】変更
【補正の内容】
【図６】
2005059406.tif 000015
【手続補正６】
【補正対象書類名】図面
【補正対象項目名】図７
【補正方法】変更
【補正の内容】
【図７】
2005059406.tif 000016
【手続補正７】
【補正対象書類名】図面
【補正対象項目名】図１１
【補正方法】追加
【補正の内容】
【図１１】
2005059406.tif 000017